(57)【特許請求の範囲】
【請求項１】
放送通信連携サービス提供システムであって、
所定の放送番組の映像信号及び音声信号と放送通信連携サービスを実現するサービスデータとを含む放送コンテンツ信号を送信する放送局と、
前記放送局から前記放送コンテンツ信号を受信すると共に、前記放送番組を再生し、また、放送通信連携サービス提供プログラムを備えているテレビジョン受信機能を持つ端末と、
前記放送局から前記放送コンテンツ信号を受信すると共に、前記放送コンテンツ信号に基づいて通信コンテンツ信号を生成して前記端末へと配信する通信コンテンツ配信サーバと、を備え、
前記端末は、前記放送通信連携サービス提供プログラムを実行することにより、
前記サービスデータから放送情報を取得し、
前記放送情報に基づいて、前記端末で提供するコンテンツを決定し、
前記放送情報に基づいて、前記コンテンツの提供に必要なコンテンツデータを取得すると共に、前記コンテンツデータに基づいて前記コンテンツを生成し、
前記コンテンツを前記映像信号及び前記音声信号と共に出力し、
更に、前記端末は、前記放送局から受信した前記放送コンテンツ信号の前記サービスデータに含まれるアプリケーション情報のアプリケーション起動指示に応じて、又は、当該端末のユーザーによる複数番組連動アプリケーションの選択及び起動操作に応じて、複数番組連動アプリケーションとしての前記放送通信連携サービス提供プログラムを実行するときには、前記サービスデータから前記放送番組の番組情報を取得し、
前記通信コンテンツ配信サーバは、前記端末から前記番組情報を取得すると、複数の前記放送局からの複数の前記放送コンテンツ信号を受信すると共に、当該複数の放送コンテンツ信号のそれぞれの前記サービスデータから前記複数の放送局の番組情報を参照して、前記端末から取得した前記番組情報に基づいて、前記放送番組の放送対象に関連すると共に同時進行している他の放送対象について他の放送局で提供される関連番組を検出し、当該関連番組の前記放送コンテンツ信号に基づいて、前記関連番組における前記他の放送対象の進行状況を取得し、前記進行状況をコンテンツデータとする通信コンテンツ信号を生成して前記端末へと送信し、
更に、前記端末は、前記通信コンテンツ配信サーバから前記進行状況をコンテンツデータとする通信コンテンツ信号を取得すると、当該コンテンツデータにおける前記進行状況を提示する前記コンテンツを生成することを特徴とする放送通信連携サービス提供システム。
【請求項２】
前記端末は、ＣＭ連動アプリケーションとしての前記放送通信連携サービス提供プログラムを実行するときには、前記サービスデータから前記放送番組におけるＣＭについてのＣＭ切替信号及びＣＭ情報を取得し、
前記ＣＭ情報で示されるＣＭに連動した前記コンテンツを生成し、
前記ＣＭ切替信号の切替タイミングに応じて前記コンテンツを出力することを特徴とする請求項１に記載の放送通信連携サービス提供システム。
【請求項３】
前記端末は、字幕抽出アプリケーションとしての前記放送通信連携サービス提供プログラムを実行するときには、前記サービスデータから前記放送番組の字幕データを取得し、
前記字幕データから所定のキーワードを検出して、検索した前記キーワードに関連する前記コンテンツを生成することを特徴とする請求項１に記載の放送通信連携サービス提供システム。
【請求項４】
前記端末は、視聴状況集計アプリケーションとしての前記放送通信連携サービス提供プログラムを実行するときには、前記端末の視聴状況を取得して集計することを特徴とする請求項１に記載の放送通信連携サービス提供システム。
【請求項５】
前記放送情報に基づいて、通信コンテンツ信号の配信元の通信コンテンツ配信サーバを決定し、
前記通信コンテンツ配信サーバとの通信によって、前記通信コンテンツ信号を前記コンテンツデータとして取得するように前記端末を機能させることを特徴とする請求項１〜請求項４の何れか１項に記載の放送通信連携サービス提供システム。
【発明の詳細な説明】
【技術分野】
【０００１】
本発明は、放送局、サーバ及びテレビジョン受信機能を持つ端末等からなる放送通信連携サービス提供システムに関する。
【背景技術】
【０００２】
近年、テレビジョン放送の分野ではデジタル化が進展する一方、通信の分野ではブロードバンド化が進展している。そこで、テレビジョン放送では、高品質なデジタル放送と多様なインターネットのサービスとを融合したＨｙｂｒｉｄｃａｓｔ（登録商標）等の放送通信連携サービスを提供する技術が提案されている。
【０００３】
例えば、非特許文献１に記載のＨｙｂｒｉｄｃａｓｔシステムでは、放送局からの放送波を受信する受信機にアプリケーション（放送通信連携サービス提供プログラム）が実装され、受信機はネットワークサーバと通信を行うことでアプリケーションを実行している。
【０００４】
また、非特許文献２に記載の技術では、Ｈｙｂｒｉｄｃａｓｔを提供するサービスにおいて、受信機が、放送波や通信によってアプリケーション制御情報を受信し、このアプリケーション制御情報に基づいてアプリケーション配信用サーバからアプリケーション（放送通信連携サービス提供プログラム）をダウンロードしている。そして、受信機は、このアプリケーションを実行することにより、ネットワーク上の様々なサーバと通信して放送通信連携サービスを実現している。
【先行技術文献】
【特許文献】
【０００５】
【非特許文献１】「Ｈｙｂｒｉｄｃａｓｔの概要と技術」、ＮＨＫ技研Ｒ＆Ｄ、Ｎｏ．１２４、２０１０．１１、Ｐ１０−Ｐ１７
【非特許文献２】「Ｈｙｂｒｉｄｃａｓｔを支える技術」、ＮＨＫ技研Ｒ＆Ｄ、Ｎｏ．１３３、２０１２．５、Ｐ２０−Ｐ２７
【発明の概要】
【発明が解決しようとする課題】
【０００６】
上記したように、受信機、すなわちテレビジョン受信機能を持つ端末等は、ダウンロードしたアプリケーションがネットワーク上のサーバと通信することで放送通信連携サービスを実現するため、放送波と通信とを同期させる必要がある。しかしながら、このような同期処理を行うと、重要な場面の放送時間が短い場合におけるコンテンツの提供の遅延等の不具合が生ずる恐れがある。
【０００７】
また、例えば、放送時間が短いＣＭ（コマーシャルメッセージ）放送についてコンテンツを提供するアプリケーションを想定する場合、ユーザーに対して即座にコンテンツを提供する必要があるため、上記のようなコンテンツ提供の遅延等の不具合が生じることは望ましくない。
【０００８】
ところで、アプリケーションは、放送番組において事前に決められた部分と連動したコンテンツを提供するものであれば比較的構成し易い。しかしながら、多数のユーザーがそれぞれ放送番組の中で異なる部分に興味を持つことがあるので、事前に決められたコンテンツのみを提供するアプリケーションでは、放送番組を視聴中の各ユーザーの希望に十分に沿うことができない。
【０００９】
また、現在、各放送局のテレビ番組の視聴率等の視聴状況を得るためには、モニターであるユーザーのテレビジョン受像機に専用装置を配置し、この専用装置を用いてモニターの視聴状況を監視することによるデータ集計方法が採用されている。しかしながら、このようなデータ集計方法では、コストが掛かるために集計対象数が限定されている点や、集計時間が掛かる点、加えて詳細な視聴動向の把握が困難である点等の問題がある。
【００１０】
また、野球、サッカー等の各種スポーツやオリンピック等の同時進行する放送対象がある場合、複数の放送局がそれぞれ異なる放送対象をリアルタイムに放送することがある。この場合、ユーザーは何れか一方の放送番組を視聴すると、他方の放送番組を視聴できないので、ユーザーが所望の場面を視聴するには常に選局操作を行って、複数の放送番組を視聴して確認する必要がある。このような選局操作はユーザーにとって手間が掛かるし、ユーザーは選局操作のタイミングを知り得ないので所望の視聴タイミングを得られないことがある。そのため、ユーザーの視聴意欲を妨げることになり、更には、放送通信連携サービスの運営において、ユーザーの視聴状況を正確に把握することができなくなる。
【００１１】
そこで、本発明は上記事情を考慮し、放送番組とリアルタイムに連動及び同期したコンテンツを提供して、放送通信連携サービスの利用及び普及の向上を図ることを目的とする。
【課題を解決するための手段】
【００１２】
上記課題を解決するために、本発明の第１の放送通信連携サービス提供プログラムは、所定の放送番組の映像信号及び音声信号と放送通信連携サービスを実現するサービスデータとを含む放送コンテンツ信号を放送局から受信すると共に、前記放送番組を再生するテレビジョン受信機能を持つ端末に備わるプログラムである。そして、放送通信連携サービス提供プログラムは、前記サービスデータから放送情報を取得し、前記放送情報に基づいて、前記端末で提供するコンテンツを決定し、前記放送情報に基づいて、前記コンテンツの提供に必要なコンテンツデータを取得すると共に、前記コンテンツデータに基づいて前記コンテンツを生成し、前記コンテンツを前記映像信号及び前記音声信号と共に出力するように、前記端末を機能させることを特徴とする。
【００１３】
本発明の第１の放送通信連携サービス提供プログラムによれば、サービスデータから得られる放送情報を解析することにより提供すべきコンテンツ内容が決定し、また決定したコンテンツ内容に応じて、取得すべきコンテンツデータが決定する。このようなコンテンツデータを用いるため、放送番組とリアルタイムに連動及び同期したコンテンツを提供することができる。従って、上記のような放送通信連携サービス提供プログラムによれば、放送通信連携サービスの利用及び普及を向上することが可能となる。
【００１４】
上記課題を解決するために、本発明の第２の放送通信連携サービス提供プログラムは、上述した本発明の第１の放送通信連携サービス提供プログラムにおいて、前記サービスデータから前記放送番組におけるＣＭについてのＣＭ切替信号及びＣＭ情報を取得し、前記ＣＭ情報で示されるＣＭに連動した前記コンテンツを生成し、前記ＣＭ切替信号の切替タイミングに応じて前記コンテンツを出力するように前記端末を機能させることを特徴とする。
【００１５】
本発明の第２の放送通信連携サービス提供プログラムによれば、ＣＭに連動したコンテンツを、よりリアルタイムに生成して提供することができる。
【００１６】
上記課題を解決するために、本発明の第３の放送通信連携サービス提供プログラムは、上述した本発明の第１の放送通信連携サービス提供プログラムにおいて、前記サービスデータから前記放送番組の字幕データを取得し、前記字幕データから所定のキーワードを検出して、検索した前記キーワードに関連する前記コンテンツを生成するように前記端末を機能させることを特徴とする。
【００１７】
本発明の第３の放送通信連携サービス提供プログラムによれば、放送番組の字幕データに基づいて、番組内容に関連したコンテンツをリアルタイムに生成して提供することができ、各ユーザーの希望に沿ったコンテンツを提供することもできる。
【００１８】
上記課題を解決するために、本発明の第４の放送通信連携サービス提供プログラムは、上述した本発明の第１の放送通信連携サービス提供プログラムにおいて、前記端末の視聴状況を取得して集計するように前記端末を機能させることを特徴とする。
【００１９】
本発明の第４の放送通信連携サービス提供プログラムによれば、ユーザーの視聴状況をリアルタイムに集計することができ、また集計した視聴状況を即座に利用することができる。また、このようなプログラムは、視聴率集計用の装置に比べてコストが掛からないため、多数のユーザーを集計対象にすることができる。従って、多数のユーザーの詳細な視聴動向を把握することが容易となる。
【００２０】
上記課題を解決するために、本発明の第５の放送通信連携サービス提供プログラムは、上述した本発明の第１の放送通信連携サービス提供プログラムにおいて、前記サービスデータから前記放送番組の番組情報を取得し、前記番組情報に基づいて、前記放送番組の放送対象に関連すると共に同時進行している他の放送対象について他の放送局で提供される関連番組を検出し、前記関連番組における前記他の放送対象の進行状況を取得し、前記進行状況を提示する前記コンテンツを生成するように前記端末を機能させることを特徴とする。
【００２１】
本発明の第５の放送通信連携サービス提供プログラムによれば、複数の放送局２がオリンピック中継や、野球、サッカーその他のスポーツ中継のように同時進行する複数の放送対象を放送番組としている場合に、一方の放送番組を視聴していても、他の放送番組における放送対象の進行状況を把握することができるため、ユーザーは、常に所望の場面を視聴できることになり、視聴意欲が向上する。
【００２２】
上記課題を解決するために、本発明の第６の放送通信連携サービス提供プログラムは、上述した本発明の第１ないし第５の何れかの放送通信連携サービス提供プログラムにおいて、前記放送情報に基づいて、通信コンテンツ信号の配信元の通信コンテンツ配信サーバを決定し、前記通信コンテンツ配信サーバとの通信によって、前記通信コンテンツ信号を前記コンテンツデータとして取得するように前記端末を機能させることを特徴とする。
【００２３】
本発明の第６の放送通信連携サービス提供プログラムによれば、コンテンツ生成のために、より多くの種類のコンテンツデータを利用可能となるので、ユーザーのニーズに合わせたコンテンツの生成が可能となる。
【発明の効果】
【００２４】
本発明によれば、放送番組とリアルタイムに連動及び同期したコンテンツを提供して、放送通信連携サービスの利用及び普及の向上を図ることが可能となる。
【図面の簡単な説明】
【００２５】
【図１】本発明の一実施形態に係るアプリケーションを、放送通信連携サービス提供システムにおけるテレビジョン受信機能を持つ端末等に備えた構成の概要を示すブロック図である。
【図２】本発明の一実施形態に係るＣＭ連動アプリケーションの動作を示すタイミングチャートである。
【図３】本発明の一実施形態に係る字幕抽出アプリケーションの動作を示すタイミングチャートである。
【図４】本発明の一実施形態に係る視聴状況集計アプリケーションの動作を示すタイミングチャートである。
【図５】本発明の一実施形態に係る複数番組連動アプリケーションの動作を示すタイミングチャートである。
【発明を実施するための形態】
【００２６】
先ず、図１を参照しながら、放送通信連携サービスを提供する放送通信連携サービス提供システム１の構成と共に、この放送通信連携サービス提供システム１におけるテレビジョン受信機能を持つ端末３等に備わる放送通信連携サービス提供プログラムとしてのアプリケーション２０の構成を説明する。
【００２７】
図１に示されるように、放送通信連携サービス提供システム１では、放送局２が、放送通信連携サービスに対応しているテレビジョン受信機能を持つ端末３等に向けて放送コンテンツ信号を送信している。放送局２に関連する放送通信連携サービスを提供するために、通信コンテンツ配信サーバ４がインターネット等の所定のネットワーク５上に設けられ、テレビジョン受信機能を持つ端末３等はネットワーク５を介して通信コンテンツ配信サーバ４に接続される。また、ネットワーク５上には、アプリケーション２０を提供するアプリケーション提供サーバ６が設けられ、テレビジョン受信機能を持つ端末３等はネットワーク５を介してアプリケーション提供サーバ６に接続される。
【００２８】
なお、図１では、放送通信連携サービス提供システム１において、放送局２、テレビジョン受信機能を持つ端末３等、通信コンテンツ配信サーバ４、アプリケーション提供サーバ６が１つずつ備えられる例を示しているが、これらの構成要素は必要に応じて複数備えられてよい。以下に、放送通信連携サービス提供システム１の各構成要素を詳細に説明する。
【００２９】
放送局２は、所定の放送番組の映像信号及び音声信号を含む放送コンテンツ信号を、テレビジョン受信機能を持つ端末３等で受信させるために送信する。図１では、放送局２が放送波によって放送コンテンツ信号を送信する例を示すが、放送波は地上放送波及び衛星放送波の何れでもよい。また、テレビジョン受信機能を持つ端末３等は、放送局２から放送波によって送信された放送コンテンツ信号を受信するものに限定されず、ブロードバンド回線や光ファイバー回線等を利用するインターネット通信やケーブルテレビ回線を利用する通信によって放送コンテンツ信号を受信していてもよい。
【００３０】
本実施形態では特に、放送局２は、放送通信連携サービスに対応した放送コンテンツ信号を送信していて、この放送コンテンツ信号の映像信号及び音声信号は、テレビジョン受像機能を持つ端末３としてのテレビジョン受像機等で再生可能である。放送コンテンツ信号は、放送番組の映像信号及び音声信号だけでなく、放送通信連携サービスにおいて放送コンテンツや通信コンテンツを実現するためのサービスデータを含む。サービスデータは、放送コンテンツの提供を補助するデータや、通信コンテンツの提供を制御又は補助するデータを含み、例えば、放送番組についての静的な番組情報、タイムスタンプ、タイミング信号、字幕データ及び動的な番組情報や、アプリケーション２０の実行に用いるためのアプリケーション情報がある。
【００３１】
上記のサービスデータにおいて、静的な番組情報は、例えば、放送コンテンツ信号で伝達される放送番組の放送チャンネル、番組タイトル、放送時間や出演者情報等の、一放送番組において時間変化しない番組情報である。タイムスタンプは、例えば、選択した放送番組の開始時間からのタイムスタンプ情報や絶対時刻等である。タイミング信号は、例えば、放送番組におけるＣＭ（コマーシャルメッセージ）切替信号やその他のタイミング信号であり、ＣＭ切替信号はそのＣＭについての企業情報や製品情報等のＣＭ情報を含む。字幕データは、放送番組の日本語、英語その他の外国語等からなる字幕データである。動的な番組情報は、例えば、地震速報等の緊急警報のようなデータ放送、Ｈｙｂｒｉｄｃａｓｔ等の動的なメタコンテンツ情報である。アプリケーション情報は、アプリケーション２０の起動や停止を指示する制御信号や、アプリケーション２０の実行に用いられる通信コンテンツ信号の配信元である通信コンテンツ配信サーバ４へのアクセス情報を含む。上記の番組情報、ＣＭ情報、字幕データ等の放送内容に関する情報を、放送情報と称する。
【００３２】
テレビジョン受信機能を持つ端末３としてのテレビジョン受像機は、選局操作によって放送局２（チャンネル）が選局されると、その放送局２からの放送コンテンツ信号における映像信号を画面表示すると共に音声信号を音声出力するように構成されている。また、テレビジョン受信機能を持つ端末３等は、赤外線、高周波の電磁波（ＲＦ）、Ｂｌｕｅｔｏｏｔｈ（登録商標）やＷｉＦｉ等の無線通信方式を利用してリモコン操作可能である。また、テレビジョン受信機能を持つ端末３は、テレビジョン受像機に限定されず、ＣＡＴＶ等のセットトップボックス（ＳＴＢ）やその他の端末がある。
【００３３】
テレビジョン受信機能を持つ端末３は、例えば、制御部１０と、記憶部１１と、受信部１２と、分離部１３と、出力部１４と、通信部１５と、アプリ実行部１６とを備える。なお、分離部１３及びアプリ実行部１６は、記憶部１１に記憶され、制御部１０によって制御されることで動作するプログラムで構成されていてもよい。
【００３４】
制御部１０は、ＣＰＵ（Ｃｅｎｔｒａｌ  Ｐｒｏｃｅｓｓｉｎｇ  Ｕｎｉｔ）等を有して、テレビジョン受信機能を持つ端末３の全体の動作を統括して制御するように構成される。
【００３５】
記憶部１１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリや、ハードディスク等の記録媒体を有する。記憶部１１は、制御部１０で制御される情報やデータ、プログラム等、並びにアプリケーション提供サーバ６から取得（ダウンロード）したアプリケーション２０を記憶するように構成される。アプリケーション２０の詳細は後述する。
【００３６】
受信部１２は、地上デジタル放送や衛星放送等によって放送局２から送信された放送コンテンツ信号を受信するチューナー等の受信装置であり、受信した放送コンテンツ信号を分離部１３へと出力する。
【００３７】
分離部１３は、受信部１２が受信した放送コンテンツ信号から、映像信号及び音声信号と、放送通信連携サービスを実現するサービスデータとを分離する。分離部１３は、分離した映像信号及び音声信号を出力部１４へと出力すると共に、分離したサービスデータを制御部１０やアプリ実行部１６へと出力する。
【００３８】
出力部１４は、分離部１３で分離された映像信号を画面表示する液晶ディスプレイや有機ＥＬディスプレイ等の表示装置（図示せず）と、分離部１３で分離された音声信号を音声として出力するスピーカ等の音声出力装置（図示せず）とを備える。出力部１４は、例えば、アプリ実行部１６で実行されるアプリケーション２０によって所定の情報の静止画像表示や動画像表示の指示があった場合に、その情報を映像信号に重畳して表示し、映像信号に代えて表示し、若しくは映像信号の画面表示に並べて表示し、又はその他の手法によって表示するように構成される。また、出力部１４は、例えば、アプリ実行部１６で実行されるアプリケーション２０によって所定の情報の音声出力の指示があった場合に、その情報を音声信号に重畳して出力し、若しくは音声信号に代えて出力し、又はその他の手法によって音声出力するように構成される。
【００３９】
通信部１５は、テレビジョン受信機能を持つ端末３がインターネット等のネットワーク５に接続するためのインタフェースである。即ち、通信部１５は、テレビジョン受信機能を持つ端末３を通信コンテンツ配信サーバ４、アプリケーション提供サーバ６等の外部装置とネットワーク５を介して接続する。例えば、通信部１５がネットワーク５を介してアプリケーション提供サーバ６と通信することにより、テレビジョン受信機能を持つ端末３は、アプリケーション２０をアプリケーション提供サーバ６からダウンロード可能となる。また、通信部１５がネットワーク５を介して通信コンテンツ配信サーバ４と通信することにより、テレビジョン受信機能を持つ端末３は、通信コンテンツ信号を通信コンテンツ配信サーバ４から受信可能となる。
【００４０】
アプリ実行部１６は、分離部１３で分離されたサービスデータのアプリケーション情報が起動や停止を指示する制御信号を含む場合に、この制御信号に応じてアプリケーション２０を起動又は停止する。また、アプリ実行部１６は、ユーザーがテレビジョン受信機能を持つ端末３を操作してアプリケーション２０の選択、並びに起動又は停止を指示した場合にも、この操作に応じてアプリケーション２０を起動又は停止する。例えば、アプリ実行部１６は、アプリケーション２０の起動が指示されたとき、記憶部１１に記憶されたアプリケーション２０を読み出して起動（実行）する。
【００４１】
また、アプリ実行部１６は、例えば、実行中のアプリケーション２０から所定の検索指示があった場合に、ネットワーク５を介して外部の検索エンジン（検索サイト）にアクセスし、検索処理を行うこともできる。
【００４２】
アプリケーション２０は、例えば、放送情報取得モジュール（放送情報取得機能）２１と、コンテンツ決定モジュール（コンテンツ決定機能）２２と、通信コンテンツ取得モジュール（通信コンテンツ取得機能）２３と、コンテンツ生成モジュール（コンテンツ生成機能）２４と、コンテンツ出力モジュール（コンテンツ出力機能）２５とを有する。アプリケーション２０の上記モジュール２１〜２５はプログラムで構成されていて、これらのモジュール２１〜２５の処理は、アプリケーション２０の指示に応じて制御部１０又はアプリ実行部１６が実行する。
【００４３】
放送情報取得モジュール２１は、現在の放送コンテンツ信号について分離部１３で分離されたサービスデータから、現在の放送内容に関する放送情報を取得する。
【００４４】
コンテンツ決定モジュール２２は、放送情報取得モジュール２１で取得した放送情報に関連して提供すべきコンテンツを決定すると共に、そのコンテンツを提供するために必要な通信コンテンツ信号の配信元の通信コンテンツ配信サーバ４を決定する。
【００４５】
通信コンテンツ取得モジュール２３は、コンテンツ決定モジュール２２で決定した通信コンテンツ配信サーバ４に対して通信部１５によってアクセスし、コンテンツ決定モジュール２２で決定したコンテンツを提供するために必要な通信コンテンツ信号を通信部１５に受信させて取得する。
【００４６】
コンテンツ生成モジュール２４は、放送情報取得モジュール２１で取得した放送情報や通信コンテンツ取得モジュール２３で取得した通信コンテンツ信号に基づいて、コンテンツ決定モジュール２２で決定したコンテンツを生成する。
【００４７】
コンテンツ出力モジュール２５は、コンテンツ生成モジュール２４で生成したコンテンツを出力部１４によって出力させたり、通信部３３によって外部に出力させたりする。
【００４８】
また、アプリケーション２０は、テレビジョン受信機能を持つ端末３の操作状況を監視すると共に、テレビジョン受信機能を持つ端末３の操作に応じて所定の処理を実行するように構成されていてもよい。
【００４９】
アプリケーション２０には、例えば、放送番組のＣＭに連動したコンテンツを提供するＣＭ連動アプリケーション２０、放送番組の字幕データに示されるキーワードに関連するコンテンツを提供する字幕抽出アプリケーション２０、テレビジョン受信機能を持つ端末３（ユーザー）の視聴状況（例えば、視聴した番組及びＣＭ並びにその視聴時間等）の集計をコンテンツとする視聴状況集計アプリケーション２０、同時進行する複数の放送番組（関連番組）の放送対象の進行状況を同時に提示可能なコンテンツを提供する複数番組連動アプリケーション２０等がある。
【００５０】
通信コンテンツ配信サーバ４は、アプリケーション２０の実行に用いられる通信コンテンツ信号をネットワーク５を介して配信するものである。通信コンテンツ配信サーバ４は、例えば、放送局２の管理下に設けられていてもよく、又は、放送局２と連携してサービスを提供するサービス事業者の管理下に設けられていてもよい。
【００５１】
通信コンテンツ配信サーバ４は、例えば、制御部３０と、記憶部３１と、放送受信部３２と、通信部３３と、データ抽出部３４と、通信コンテンツ信号生成部３５と、データ解析部３６とを備える。なお、データ抽出部３４、通信コンテンツ信号生成部３５及びデータ解析部３６は、記憶部３１に記憶され、制御部３０によって制御されることで動作するプログラムで構成されていてもよい。
【００５２】
制御部３０は、ＣＰＵ等を有して、通信コンテンツ配信サーバ４の全体の動作を統括して制御するように構成される。記憶部３１は、ＲＯＭやＲＡＭ等のメモリや、ハードディスク等の記録媒体を有して、制御部３０で制御される情報やデータ、プログラム等を記憶するように構成される。
【００５３】
放送受信部３２は、放送通信連携サービスに対応した放送コンテンツ信号を放送局２から受信可能に構成されている。
【００５４】
本実施形態では、放送受信部３２が通信コンテンツ配信サーバ４に備えられる例を説明するが、放送受信部３２は、通信コンテンツ配信サーバ４から独立して備えられて、通信コンテンツ配信サーバ４とＬＡＮ（Ｌｏｃａｌ  Ａｒｅａ  Ｎｅｔｗｏｒｋ）等のネットワークを介して接続されていてもよい。例えば、通信コンテンツ配信サーバ４が、放送通信連携サービス提供システム１で採用する放送局２の放送コンテンツ信号の送信範囲外に設置される場合には、放送受信部３２が放送局２の放送コンテンツ信号の送信範囲内に設置されると共に通信コンテンツ配信サーバ４とネットワーク接続される。
【００５５】
また、本実施形態では、１つの放送受信部３２が備えられる例を説明するが、複数の放送局２のそれぞれに対応する複数の放送受信部３２が備えられてよい。従って、例えば、通信コンテンツ配信サーバ４が、第１の放送局２の放送コンテンツ信号の送信範囲内であって第２の放送局２の放送コンテンツ信号の送信範囲外に設置される場合には、第１の放送局２に対応する第１の放送受信部３２を通信コンテンツ配信サーバ４に備えると共に、第２の放送局２に対応する第２の放送受信部３２を第２の放送局２の放送コンテンツ信号の送信範囲内に設置するとよい。
【００５６】
通信部３３は、通信コンテンツ配信サーバ４がインターネット等のネットワーク５に接続するためのインタフェースであり、即ち、通信コンテンツ配信サーバ４をテレビジョン受信機能を持つ端末３等の外部端末とネットワーク５を介して接続する。例えば、通信部３３がネットワーク５を介してテレビジョン受信機能を持つ端末３等の外部端末と通信することにより、通信コンテンツ信号生成部３５で生成した通信コンテンツ信号をテレビジョン受信機能を持つ端末３等へと送信可能となり、また、テレビジョン受信機能を持つ端末３等からのフィードバックデータを受信可能となる。
【００５７】
データ抽出部３４は、放送受信部３２が受信した放送コンテンツ信号から、通信コンテンツ信号生成部３５が通信コンテンツ信号の生成に利用するサービスデータを抽出する。また、複数の放送受信部３２が複数の放送局２からそれぞれの放送コンテンツ信号を受信している場合、複数の放送受信部３２で受信した複数の放送コンテンツ信号から同時にサービスデータを抽出するようにデータ抽出部３４が設けられ、あるいは、複数の放送受信部３２のそれぞれに対応する複数のデータ抽出部３４が設けられる。
【００５８】
通信コンテンツ信号生成部３５は、データ抽出部３４で抽出したサービスデータを用いて、テレビジョン受信機能を持つ端末３で動作するアプリケーション２０で利用されるコンテンツデータを有する通信コンテンツ信号を生成する。また、通信コンテンツ信号生成部３５は、テレビジョン受信機能を持つ端末３から所定のキーワードを指定して通信コンテンツ信号の取得要求があると、この要求に応じて上記キーワードに関連するコンテンツデータを生成する。
【００５９】
データ解析部３６は、通信部３３によってテレビジョン受信機能を持つ端末３から受信したデータを解析するもので、例えば、各端末３の視聴状況を解析する。また、データ解析部３６は、視聴状況をテレビジョン受信機能を持つ端末３毎に、あるいはテレビジョン受信機能を持つ複数の端末３に亘って解析すると共に集計し、その視聴状況を記憶部３１に記憶して通信コンテンツ配信サーバ４で使用可能にすると共に、外部機器に提供可能にする。データ解析部３６は、視聴状況を日、週、月等の所定期間毎に集計して、あるいは、日、週、月等の所定期間毎に読み出し可能に記憶してよい。また、データ解析部３６は、視聴状況を、テレビジョン受信機能を持つ端末３上で動作するアプリケーション２０のアカウントと共に記憶してもよい。このアカウントは、例えば、アプリケーション２０についてのユーザーＩＤ等のログイン情報や、その他のユーザーを識別可能な情報である。
【００６０】
アプリケーション提供サーバ６は、上記したようなアプリケーション２０を、ネットワーク５を介してテレビジョン受信機能を持つ端末３等に提供するものである。アプリケーション提供サーバ６は、例えば、アプリケーション２０の購入画面を表示させるホームページをネットワーク５を介して公開していて、このホームページにアクセスしたテレビジョン受信機能を持つ端末３等の購入操作に応じて、アプリケーション２０をテレビジョン受信機能を持つ端末３等にダウンロード可能にする。なお、上記のようにアプリケーション提供サーバ６が直接、アプリケーション２０を提供していてもよいが、アプリケーション提供サーバ６はアプリケーション２０を保守管理していて、アプリケーション提供サーバ６とは別のアプリケーション提供システムにアプリケーション２０を提供させるように構成されていてもよい。
【００６１】
次に、このような構成を備えた放送通信連携サービス提供システム１において、テレビジョン受信機能を持つ端末３等に備わるアプリケーション２０の動作例について、図２〜図５を参照して説明する。
【００６２】
先ず、テレビジョン受信機能を持つ端末３におけるＣＭ連動アプリケーション２０の動作例を図２を参照しながら説明する。
【００６３】
テレビジョン受信機能を持つ端末３では、アプリケーション提供サーバ６からダウンロードしたＣＭ連動アプリケーション２０が記憶部１１に記憶されている。また、テレビジョン受信機能を持つ端末３では、放送局２から受信した放送コンテンツ信号のサービスデータに含まれるアプリケーション情報のアプリケーション起動指示に応じて、又は、テレビジョン受信機能を持つ端末３のユーザーによるＣＭ連動アプリケーション２０の選択及び起動操作に応じて、アプリ実行部１６がＣＭ連動アプリケーション２０を起動（実行）する（ステップＳ１０１）。
【００６４】
テレビジョン受信機能を持つ端末３で実行中のＣＭ連動アプリケーション２０は、放送情報取得モジュール２１によって、選局されている放送コンテンツ信号のサービスデータがＣＭ切替信号やＣＭ情報を含むか否かを監視すると共に、ＣＭ切替信号及びＣＭ情報を放送情報として取得する（ステップＳ１０２）。
【００６５】
放送情報取得モジュール２１がＣＭ切替信号及びＣＭ情報を取得すると、ＣＭ連動アプリケーション２０のコンテンツ決定モジュール２２によって、そのＣＭ情報が示す企業や製品に関連する動画、Ｗｅｂサイト、クーポン等の何れかをコンテンツ（ＣＭ連動コンテンツ）として提供することを決定する（ステップＳ１０３）。このとき、コンテンツ決定モジュール２２は、ユーザーのテレビジョン受信機能を持つ端末３の操作に応じてコンテンツの種別を選択可能にしてもよい。
【００６６】
次に、ＣＭ連動アプリケーション２０のコンテンツ生成モジュール２４が、コンテンツ決定モジュール２２で決定したコンテンツの生成に必要なコンテンツデータ（上記ＣＭ情報が示す企業や製品についての動画ファイル、Ｗｅｂサイトアドレス、クーポンを表示するファイルやホームページのアドレス等）を、検索エンジン等を用いたり、企業や広告代理店から公開されたりして取得する（ステップＳ１０４）。
【００６７】
あるいは、コンテンツ生成モジュール２４は、上記のコンテンツデータを有する通信コンテンツ信号をネットワーク５を介して通信コンテンツ配信サーバ４から取得する（ステップＳ１０５）。この場合、通信コンテンツ配信サーバ４の通信コンテンツ信号生成部３５は、例えば、ネットワーク５を介してテレビジョン受信機能を持つ端末３からＣＭ情報を取得し、このＣＭ情報に基づいて、検索エンジン等を用いたり、企業や広告代理店から公開されたりして上記したコンテンツデータを取得すると共にネットワーク５を介してテレビジョン受信機能を持つ端末３へと送信する。
【００６８】
また、コンテンツ生成モジュール２４は、取得したコンテンツデータに基づいて、上記ＣＭ情報が示す企業や製品についてＣＭに連動したコンテンツを生成する（ステップＳ１０６）。
【００６９】
そして、ＣＭ連動アプリケーション２０のコンテンツ出力モジュール２５は、コンテンツ生成モジュール２４で生成されたＣＭに連動したコンテンツを、ＣＭ切替信号に応じて出力部１４によってそのＣＭと共に出力させる（ステップＳ１０７）。
【００７０】
また、テレビジョン受信機能を持つ端末３における字幕抽出アプリケーション２０の動作例を図３を参照しながら説明する。
【００７１】
テレビジョン受信機能を持つ端末３では、アプリケーション提供サーバ６からダウンロードした字幕抽出アプリケーション２０が記憶部１１に記憶されている。また、テレビジョン受信機能を持つ端末３では、放送局２から受信した放送コンテンツ信号のサービスデータに含まれるアプリケーション情報のアプリケーション起動指示に応じて、又は、テレビジョン受信機能を持つ端末３のユーザーによる字幕抽出アプリケーション２０の選択及び起動操作に応じて、アプリ実行部１６が字幕抽出アプリケーション２０を起動（実行）する（ステップＳ２０１）。
【００７２】
テレビジョン受信機能を持つ端末３で実行中の字幕抽出アプリケーション２０は、放送情報取得モジュール２１によって、選局されている放送コンテンツ信号のサービスデータが放送番組に連動した字幕データを含むか否かを監視すると共に、その字幕データを放送情報として取得する（ステップＳ２０２）。
【００７３】
放送情報取得モジュール２１が字幕データを取得すると、字幕抽出アプリケーション２０のコンテンツ決定モジュール２２によって、その字幕データから検出されるキーワードのキーワード検索や、そのキーワードに関連する動画、Ｗｅｂサイト、ゲーム機能等の何れかをコンテンツ（字幕抽出コンテンツ）として提供することを決定する（ステップＳ２０３）。このとき、コンテンツ決定モジュール２２は、コンテンツの種別をユーザーのテレビジョン受信機能を持つ端末３の操作に応じて選択可能にする選択画面を出力部１４に表示させてもよい。
【００７４】
次に、字幕抽出アプリケーション２０のコンテンツ生成モジュール２４が、放送情報取得モジュール２１で取得した字幕データから所定のキーワードを検出する（ステップＳ２０４）。
【００７５】
また、コンテンツ生成モジュール２４は、コンテンツ決定モジュール２２で決定したコンテンツであって、上記検出されたキーワードに関連するコンテンツの生成に必要なコンテンツデータ（検出されたキーワードのキーワード検索結果や、動画ファイル、Ｗｅｂサイトアドレス、クーポンを表示するファイルやホームページのアドレス等）を、検索エンジン等を用いて取得する（ステップＳ２０５）。このとき、コンテンツ生成モジュール２４は、字幕データから検出されたキーワードのうち、コンテンツ生成に係るキーワードをユーザーのテレビジョン受信機能を持つ端末３の操作に応じて選択可能にする選択画面を出力部１４に表示させてもよい。
【００７６】
あるいは、コンテンツ生成モジュール２４は、上記のコンテンツデータを有する通信コンテンツ信号をネットワーク５を介して通信コンテンツ配信サーバ４から取得する（ステップＳ２０６）。この場合、通信コンテンツ配信サーバ４の通信コンテンツ信号生成部３５は、例えば、ネットワーク５を介してテレビジョン受信機能を持つ端末３からキーワードを取得し、このキーワードに基づいて、検索エンジン等を用いて上記したコンテンツデータを取得すると共にネットワーク５を介してテレビジョン受信機能を持つ端末３へと送信する。
【００７７】
また、コンテンツ生成モジュール２４は、取得したコンテンツデータに基づいて、キーワード検索結果を提供するコンテンツや、上記検出されたキーワードに関連するコンテンツを生成する（ステップＳ２０７）。
【００７８】
そして、字幕抽出アプリケーション２０のコンテンツ出力モジュール２５は、コンテンツ生成モジュール２４で生成されたコンテンツを、出力部１４によって放送番組と共に出力させる（ステップＳ２０８）。
【００７９】
また、テレビジョン受信機能を持つ端末３における視聴状況集計アプリケーション２０の動作例を図４を参照しながら説明する。
【００８０】
テレビジョン受信機能を持つ端末３では、アプリケーション提供サーバ６からダウンロードした視聴状況集計アプリケーション２０が記憶部１１に記憶されている。また、テレビジョン受信機能を持つ端末３では、放送局２から受信した放送コンテンツ信号のサービスデータに含まれるアプリケーション情報のアプリケーション起動指示に応じて、又は、テレビジョン受信機能を持つ端末３のユーザーによる視聴状況集計アプリケーション２０の選択及び起動操作に応じて、アプリ実行部１６が視聴状況集計アプリケーション２０を起動（実行）する（ステップＳ３０１）。
【００８１】
テレビジョン受信機能を持つ端末３で実行中の視聴状況集計アプリケーション２０は、放送情報取得モジュール２１によって、選局されている放送コンテンツ信号のサービスデータから放送番組の番組情報やＣＭ情報、視聴時間等の視聴状況を取得する（ステップＳ３０２）。
【００８２】
放送情報取得モジュール２１が視聴状況を取得すると、視聴状況集計アプリケーション２０のコンテンツ決定モジュール２２によって、テレビジョン受信機能を持つ端末３の視聴状況の集計をコンテンツ（視聴状況集計コンテンツ）とすることを決定する（ステップＳ３０３）。
【００８３】
次に、視聴状況集計アプリケーション２０のコンテンツ生成モジュール２４は、放送情報取得モジュール２１で取得した視聴状況の番組情報やＣＭ情報から、何れの放送番組又はＣＭを視聴しているかを判定する（ステップＳ３０４）。
【００８４】
また、コンテンツ生成モジュール２４は、起動時や、選局されている放送局２（放送コンテンツ信号）で放送番組やＣＭが切り替わることによる放送番組又はＣＭの開始時、他の放送局２を選局することによる放送番組又はＣＭの切替時等を視聴開始時間として判定する。更に、コンテンツ生成モジュール２４は、視聴中の放送番組やＣＭの終了や、他の放送局２の選局等による視聴終了を監視する。コンテンツ生成モジュール２４は、視聴終了が検出されると、視聴開始時間から視聴終了の検出時までを視聴時間として判定する（ステップＳ３０５）。
【００８５】
そして、コンテンツ生成モジュール２４は、視聴していた放送番組の番組情報とその視聴時間とをこのテレビジョン受信機能を持つ端末３についての視聴状況として集計して記憶部１１に記憶する（ステップＳ３０６）。このようにして視聴状況集計アプリケーション２０で集計された視聴状況は、記憶部１１から読み出して利用可能となる。
【００８６】
そして、視聴状況集計アプリケーション２０のコンテンツ出力モジュール２５は、例えば、ユーザーがテレビジョン受信機能を持つ端末３を操作して視聴状況データの送信処理を行った場合や、通信コンテンツ配信サーバ４から要求があった場合に、コンテンツ生成モジュール２４で集計した視聴状況データを記憶部１１から読み出すと共に、通信部１５によって通信コンテンツ配信サーバ４等の外部機器へと出力させる（ステップＳ３０７）。
【００８７】
また、テレビジョン受信機能を持つ端末３における複数番組連動アプリケーション２０の動作例を図５を参照しながら説明する。
【００８８】
テレビジョン受信機能を持つ端末３では、アプリケーション提供サーバ６からダウンロードした複数番組連動アプリケーション２０が記憶部１１に記憶されている。また、テレビジョン受信機能を持つ端末３では、放送局２から受信した放送コンテンツ信号のサービスデータに含まれるアプリケーション情報のアプリケーション起動指示に応じて、又は、テレビジョン受信機能を持つ端末３のユーザーによる複数番組連動アプリケーション２０の選択及び起動操作に応じて、アプリ実行部１６が複数番組連動アプリケーション２０を起動（実行）する（ステップＳ４０１）。
【００８９】
テレビジョン受信機能を持つ端末３で実行中の複数番組連動アプリケーション２０は、放送情報取得モジュール２１によって、選局されている放送局２の放送コンテンツ信号のサービスデータから番組情報を放送情報として取得する（ステップＳ４０２）。
【００９０】
放送情報取得モジュール２１が番組情報を取得すると、複数番組連動アプリケーション２０のコンテンツ決定モジュール２２によって、その番組情報が示す放送番組と同時進行する他の放送局２の放送番組の進行状況をコンテンツ（複数番組連動コンテンツ）として提供することを決定する（ステップＳ４０３）。このように同時進行する複数の放送番組には、例えば、野球、サッカー等の各種スポーツやオリンピック等を放送対象とする中継番組等がある。
【００９１】
次に、複数番組連動アプリケーション２０のコンテンツ生成モジュール２４が、放送情報取得モジュール２１で取得した番組情報から放送番組の放送対象を認識すると共に、その放送対象と関連して同時進行している他の放送対象についての他の放送番組（関連番組）を判定する。例えば、コンテンツ生成モジュール２４は、他の放送局２からの放送コンテンツ信号のサービスデータを分離部１３によって取得し、そのサービスデータにおける番組情報に基づいて関連番組を判定する。または、コンテンツ生成モジュール２４は、検索エンジン等を用いて関連番組を検索してもよい。
【００９２】
そして、コンテンツ生成モジュール２４は、関連番組の放送対象の進行状況をコンテンツデータとして、放送コンテンツ信号から抽出したり、検索エンジン等を用いたりして取得する（ステップＳ４０４）。例えば、テレビジョン受信機能を持つ端末３で視聴中の放送番組及びその関連番組が、オリンピック中継や、野球、サッカーその他のスポーツ中継のように同時進行する複数の放送対象をそれぞれリアルタイムに放送している場合に、コンテンツ生成モジュール２４は、各放送対象の出場選手情報、試合得点情報、試合経過時間情報等の進行状況を検出する。
【００９３】
あるいは、コンテンツ生成モジュール２４は、上記のコンテンツデータを有する通信コンテンツ信号をネットワーク５を介して通信コンテンツ配信サーバ４から取得する（ステップＳ４０５）。
【００９４】
この場合、例えば、通信コンテンツ配信サーバ４の通信コンテンツ信号生成部３５は、ネットワーク５を介してテレビジョン受信機能を持つ端末３から番組情報を取得する。なお、通信コンテンツ配信サーバ４では、複数の放送局２からの放送コンテンツ信号を複数の放送受信部３２で受信すると共に、それぞれのサービスデータを複数のデータ抽出部３３で抽出している。通信コンテンツ信号生成部３５は、複数のデータ抽出部３３で抽出された複数のサービスデータから複数の放送局２の番組情報を参照して、テレビジョン受信機能を持つ端末３からの番組情報が示す放送番組に関連すると共に同時に進行している他の放送局２の放送番組（関連番組）を検出する。そして、通信コンテンツ信号生成部３５は、この関連番組の放送コンテンツ信号に基づいて、関連番組の放送対象における進行状況を取得する。そして、通信コンテンツ信号生成部３５は、関連番組の番組情報とその放送対象の進行状況とをコンテンツデータとする通信コンテンツ信号を生成してネットワーク５を介してテレビジョン受信機能を持つ端末３へと送信する。
【００９５】
また、コンテンツ生成モジュール２４は、取得したコンテンツデータに基づいて、関連番組の放送対象の進行状況を、視聴中の放送番組と同時に提示可能なコンテンツを生成する（ステップＳ４０６）。なお、コンテンツ生成モジュール２４は、関連番組の放送対象の進行状況が変更される毎に、随時、上記のコンテンツデータを取得してコンテンツを生成する。
【００９６】
そして、コンテンツ出力モジュール２５は、コンテンツ生成モジュール２４で生成されたコンテンツを、出力部１４によって放送番組と共に出力させる（ステップＳ４０７）。
【００９７】
本実施形態では、上述のように、放送通信連携サービス提供システム１におけるテレビジョン受信機能を持つ端末３等に備わる放送通信連携サービス提供プログラムとしてのアプリケーション２０は、所定の放送番組の映像信号及び音声信号と放送通信連携サービスを実現するサービスデータとを含む放送コンテンツ信号を放送局２から受信すると共に、放送番組を再生するテレビジョン受信機能を持つ端末３等に備わるプログラムである。このアプリケーション２０は、サービスデータから放送情報を取得し、放送情報に基づいて、テレビジョン受信機能を持つ端末３等で提供するコンテンツを決定し、放送情報に基づいて、コンテンツの提供に必要なコンテンツデータを取得すると共に、コンテンツデータに基づいてコンテンツを生成し、コンテンツを映像信号及び音声信号と共に出力するように、テレビジョン受信機能を持つ端末３等を機能させる。
【００９８】
このような構成により、本実施形態によれば、サービスデータから得られる放送情報を解析することにより提供すべきコンテンツ内容が決定し、また決定したコンテンツ内容に応じて、取得すべきコンテンツデータが決定する。このようなコンテンツデータを用いるため、放送番組とリアルタイムに連動及び同期したコンテンツを提供することができる。従って、上記のような放送通信連携サービス提供プログラムとしてのアプリケーション２０によれば、放送通信連携サービスの利用及び普及を向上することが可能となる。
【００９９】
また、本実施形態によれば、アプリケーション２０は、サービスデータから放送番組におけるＣＭについてのＣＭ切替信号及びＣＭ情報を取得し、ＣＭ情報で示されるＣＭに連動したコンテンツを生成し、ＣＭ切替信号の切替タイミングに応じてコンテンツを出力するように、テレビジョン受信機能を持つ端末３等を機能させる。
【０１００】
このような構成により、ＣＭに連動したコンテンツを、よりリアルタイムに生成して提供することができる。
【０１０１】
また、本実施形態によれば、アプリケーション２０は、サービスデータから放送番組の字幕データを取得し、字幕データから所定のキーワードを検出して、検索したキーワードに関連するコンテンツを生成するように、テレビジョン受信機能を持つ端末３等を機能させる。
【０１０２】
このような構成により、放送番組の字幕データに基づいて、番組内容に関連したコンテンツをリアルタイムに生成して提供することができ、各ユーザーの希望に沿ったコンテンツを提供することもできる。
【０１０３】
また、本実施形態によれば、アプリケーション２０は、テレビジョン受信機能を持つ端末３等の視聴状況を取得して集計するように、テレビジョン受信機能を持つ端末３等を機能させる。
【０１０４】
このような構成により、ユーザーの視聴状況をリアルタイムに集計することができ、また集計した視聴状況を即座に利用することができる。また、このようなアプリケーション２０は、視聴率集計用の装置に比べてコストが掛からないため、多数のユーザーを集計対象にすることができる。従って、多数のユーザーの詳細な視聴動向を把握することが容易となる。
【０１０５】
また、本実施形態によれば、アプリケーション２０は、サービスデータから放送番組の番組情報を取得し、番組情報に基づいて、放送番組の放送対象に関連すると共に同時進行している他の放送対象について他の放送局２で提供される関連番組を検出し、関連番組の放送対象の進行状況を取得し、進行状況を提示するコンテンツを生成するように、テレビジョン受信機能を持つ端末３等を機能させる。
【０１０６】
このような構成により、複数の放送局２がオリンピック中継や、野球、サッカーその他のスポーツ中継のように同時進行する複数の放送対象を放送番組としている場合に、一方の放送番組を視聴していても、他の放送番組における放送対象の進行状況を把握することができるため、ユーザーは、常に所望の場面を視聴できることになり、視聴意欲が向上する。
【０１０７】
また、本実施形態によれば、アプリケーション２０は、放送情報に基づいて、通信コンテンツ信号の配信元の通信コンテンツ配信サーバ４を決定し、通信コンテンツ配信サーバ４との通信によって、通信コンテンツ信号をコンテンツデータとして取得するように、テレビジョン受信機能を持つ端末３等を機能させる。
【０１０８】
このような構成により、コンテンツ生成のために、より多くの種類のコンテンツデータを利用可能となるので、ユーザーのニーズに合わせたコンテンツの生成が可能となる。
【０１０９】
本実施形態では、アプリケーション２０が、放送情報取得モジュール２１と、コンテンツ決定モジュール２２と、通信コンテンツ取得モジュール２３と、コンテンツ生成モジュール２４と、コンテンツ出力モジュール２５とを有する構成を説明したが、アプリケーション２０はこの構成に限定されない。アプリケーション２０は、例えば、これらのモジュール２１〜２５と同様の機能を有するプログラムであって、これらのモジュール２１〜２５によって生成されるコンテンツと同様のコンテンツを生成可能なプログラムであればよい。
【０１１０】
また、本実施形態では、視聴状況集計アプリケーション２０が放送番組の視聴終了を検出した際に視聴状況を取得して集計する構成を説明したが、視聴状況集計アプリケーション２０はこの構成に限定されない。例えば、視聴状況集計アプリケーション２０は、視聴開始から所定時間経過毎に、又は放送番組の開始から所定時間経過毎に、視聴状況を取得及び集計してもよく、このような所定時間毎の視聴状況を通信コンテンツ配信サーバ４に送信してもよい。
【符号の説明】
【０１１１】
１  放送通信連携サービス提供システム
２  放送局
３  テレビジョン受信機能を持つ端末
４  通信コンテンツ配信サーバ
５  ネットワーク
６  アプリケーション提供サーバ
１０  制御部
１１  記憶部
１２  受信部
１３  分離部
１４  出力部
１５  通信部
１６  アプリ実行部
２０  アプリケーション
２１  放送情報取得モジュール（放送情報取得機能）
２２  コンテンツ決定モジュール（コンテンツ決定機能）
２３  通信コンテンツ取得モジュール（通信コンテンツ取得機能）
２４  コンテンツ生成モジュール（コンテンツ生成機能）
２５  コンテンツ出力モジュール（コンテンツ出力機能）
【図１】
0005856636.tif 000002
【図２】
0005856636.tif 000003
【図３】
0005856636.tif 000004
【図４】
0005856636.tif 000005
【図５】
0005856636.tif 000006